(57)【要約】【課題】装置として従来のものより簡素であり、維持管理も容易である風力発電システムを提供する。【解決手段】複数の、風の風向に応じて開閉する風受けブレードを一定間隔で取り付けた牽引索をループ状に形成し、これを発電機用回転輪と１または複数の回転支持手段とにかけ渡したことを特徴とする風力発電システムおよびこれに利用する２枚のプレートと、上下を牽引索で固定される軸を有し、２枚のプレートはそれぞれその一辺で前記軸に回転可能に取り付けられ、他辺は自由端となっていることを特徴とする風受けブレード。【選択図】  図４
2018145930.tif 000002
【特許請求の範囲】
【請求項１】
複数の、風の風向に応じて開閉する風受けブレードを一定間隔で取り付けた牽引索をループ状に形成し、これを発電機用回転輪と１または複数の回転支持手段とにかけ渡したことを特徴とする風力発電システム。
【請求項２】
牽引索が２本であり、風受けブレードはその上下でこの牽引索に固定される請求項１記載の風力発電システム。
【請求項３】
発電機用回転輪および回転支持手段の回転輪が２段で構成される請求項１または２記載の風力発電システム。
【請求項４】
２枚のプレートと、上下を牽引索で固定される軸を有し、２枚のプレートはそれぞれその一辺で前記軸に回動可能に取り付けられ、他辺は自由端となっていることを特徴とする風受けブレード。
【請求項５】
２枚のプレートの面積が異なる請求項４記載の風受けブレード。
【請求項６】
２枚のプレートの先端が外側に湾曲する請求項４または５記載の風受けブレード。
【請求項７】
２枚のプレートが最大に開いた場合の角度が、９０〜１８０°に制約された請求項４ないし６のいずれかの項記載の風受けブレード。
【発明の詳細な説明】
【技術分野】
【０００１】
本発明は風力発電システムに関し、さらに詳細には、循環する多数の風受けブレードに対する風力を利用する風力発電システムおよびこのシステムで使用する風受けブレードに関する。
【背景技術】
【０００２】
風力エネルギーは再生可能エネルギーのひとつとして、自然環境の保全、エネルギーセキュリティの確保可能なエネルギー源として認められ、多くの地に風力発電所や風力発電装置が建設されている。
【０００３】
風力エネルギーの利用として、風力発電には発電風車（風力タービン）が用いられている。巨大な風力発電所（ウインドファーム）は、送電線に接続されている何百機もの風車で構成されている。最近のＥＵの調査では、新規に建設された陸上風車は安価な発電源であり、石炭・ガスなどの化石燃料による発電所より安価で、競争力を持っているという。また、小型陸上風力発電所は送電網に連系して送電したり、あるいは連系しないで電気を自己消費する。
【０００４】
ところで、風力発電には、風車が使用され、その形式として水平軸のプロペラ型が最も多く用いられているが、その他に、用途に応じて垂直軸のダリウス型、ジャイロミル型、サボニウス型またはその併用型などが用いられている。
【０００５】
しかしながら、いずれの発電用風車も、構造物としてかなりの大きさおよび高さを持つものであり、その建設に費用がかかるうえ、その維持管理にも高所での作業が必要となるという問題がある。
【先行技術文献】
【特許文献】
【０００６】
【特許文献１】特開２００８−１０６６２２
【特許文献２】特開２０１２−  ６７７４２
【特許文献３】特開２０１３−１３００７１
【発明の概要】
【発明が解決しようとする課題】
【０００７】
従って本発明は、装置として従来のものより簡素であり、維持管理も容易である風力発電システムを提供するものである。
【課題を解決するための手段】
【０００８】
本発明者は、巨大な建造物の建築が不要であり、かつ維持管理も簡単な風力発電システムに関し検討した結果、ループ状に形成した牽引索に、風の風向に応じて開閉する風受けブレードを一定の間隔で取り付け、これで発電機に連結した回転輪を回転させることで風力発電が可能となることを見出し、本発明を完成した。
【０００９】
すなわち本発明は、複数の、風の風向に応じて開閉する風受けブレードを一定間隔で取り付けた牽引索をループ状に形成し、これを発電機用回転輪と１または複数の回転支持手段とにかけ渡したことを特徴とする風力発電システムである。
【００１０】
また本発明は、上記システムで使用する、２枚のプレートと、上下を牽引索で固定される軸を有し、２枚のプレートはそれぞれその一辺で前記軸に回動可能に取り付けられ、他辺は自由端となっていることを特徴とする風受けブレードである。
【発明の効果】
【００１１】
本発明は、簡単な構成を有するものであり、その建設にも、また維持管理にも費用が安いものである。また、従来の風力発電機と異なり平面的なものであるので、例えば、太陽光発電などで利用される土地の周りにその発電の妨害とならずに設置することができたり、耕作を行う田畑の周りに設置することができるので、自然エネルギーからの電力を効率良く得ることができる。
【図面の簡単な説明】
【００１２】
【図１】本発明の風力発電システムを平面的に示した模式図である。図中、矢印は風向を、太矢印は牽引索の進行方向を示す。
【図２】本発明の風力発電システムの発電機用回転輪付近の部分正面図である。
【図３】回転支持手段の別の態様を示す図面である。
【図４】本発明で使用される風受けブレードの斜視図である。
【図５】風受けブレードの平面図である。図中、Ａは開いた状態、Ｂは閉じた状態を示す。
【発明を実施するための形態】
【００１３】
以下、本発明の風力発電システムの一態様を示す図面を挙げ、本発明をさらに詳しく説明する。
【００１４】
図１は、本発明の風力発電システムを平面的に示した模式図であり、図２は、その発電機用回転輪付近の部分正面図である。図中、１は発電システム、２は発電機用回転輪、３は発電機、４は回転支持手段、５は風受けブレード、６は牽引索、７は固定軸、８は連結部材をそれぞれ示す。
【００１５】
本発明のシステムは、図１で示すように、複数の風受けブレード５の上端と下端が連結された２本の牽引索６を、２段の回転輪を有する発電機用回転輪２と、これまた２段の回転保持部を有する１または複数の回転支持手段４の間にループを形成し、かけ渡したものである。
【００１６】
上記発電機用回転輪２および回転支持手段４は、回転輪や、図３に示すような、例えばスキーのリフトなどで使用されているようなものなどを利用することができる。また、これを２段として使用するのは、風受けブレード５の上下方向の揺れを防ぎ、動きを抑えるためである。ここで回転支持手段４は１個であっても良いが、その場合は、発電機用回転輪２との直線方向の風力しか利用できず、不利であり、回転支持手段４を複数とすることで、風向に関係なく発電可能となる。
【００１７】
図４は、本発明で用いる風受けブレード５の一態様を示す斜視図である。図中、５、６、７および８は前記と同じであり、１０はストッパを示す。この図からわかるように風受けブレード５は、２枚のプレート５ａ、５ｂが、それらの一辺において、固定軸７に結合され、他端は自由辺となっているものであり、固定軸７を中心に回動可能である。
【００１８】
上記プレート５ａ、５ｂは、同じ面積であってもよいが、その面積を異なるものとした方が、風上側に向かう際の閉の状態から、風下側に向かう際に横からの風で開になりやすいため好ましい。また形状も平坦な板状よりも、先端側（自由端側）で外に向かって若干そり気味に開いている方が、風上側では閉になりやすく、また風下側へ向かう際は開きやすいため好ましい。
【００１９】
また、本発明のブレード５においては、風を最大に受けるため、開いた状態でのプレート５ａ、５ｂの角度が９０〜１８０°程度になるようにすることが好ましく、特に９０〜１２０°とすることが好ましい。このためにはストッパ１０を用い、開き度合いを調整することが好ましい。このストッパ１０は、図５に示すように、プレート５ａ、５ｂの上にそれぞれ各末端が回動可能な部材を用い、所定の開き角度以上にならないようにしても良い。また、連結部材８上に棒状物として突出したストッパ１０を設けたり、連結部材８自体の一部を切り欠き、プレート５ａ、５ｂの動きを制約するようにしても、更には、プレート５ａ、５ｂの一部に紐穴を設け、ここに通した紐を利用し、開き度合いを調整してもよい（いずれも図示せず）。なお、プレート５ａ、５ｂの材質は、特に制約されるものではないが、ある程度以上の強度を持ち、腐食しにくい材質、例えば金属板やＦＲＰ板であることが好ましい。
【００２０】
前記態様では、２枚のプレート５ａ、５ｂが、それらの一辺において、固定軸７に蝶番構造で結合され、回動可能となっているが、これに限らず２枚のプレートが回動可能な構造であれば良く、例えば、腕木等を用い、それぞれの上辺、下辺のみで、あるいはさらに中間部の複数個所で固定軸７に開閉可能に取り付けても良い。
【００２１】
本発明の風受けブレード５を取り付ける２本の牽引索６は、ある程度以上の強度を持ち、腐食しにくい材質であることが好ましい。具体的には、鋼・ステンレス製のロープや、アラミド繊維などのロープであることが好ましい。また、ロープでなく、チェーンを利用することもでき、この場合は回転輪２側を歯車（ギア）とすることで回転輪２を回す力を高めることができる。
【００２２】
風受けブレード５を取り付けた２本の牽引索６は、縄バシゴ状であり、発電機用回転輪２の２段の回転輪と、好ましくは、複数の回転支持手段４の各々２段の回転輪あるいは回転保持部の間でかけ渡されることにより、発電機用回転輪２を回転させ、発電が可能となる。
【００２３】
本発明の風力発電システム１では、上記のように構成されるので、風受けブレード５が前から風を受ける場合は、その抵抗によりプレート５ａ、５ｂは閉じ、移動の際の抵抗はほとんどない。一方、後ろから風を受ける場合は、その力によってプレート５ａ、５ｂは開き、この開いたプレートが風力を受けることになり、この風力が連結されている牽引索を通して発電機用回転輪２を回すことで、発電機３での発電が可能となる。具体的には、例えば発電機用回転輪２の回転を、回転軸側歯車９ａを介して発電機側歯車９ｂに伝えるが、その際ギア比の違いによって発電機側歯車９ｂの速度が上がり、発電に十分な回転力を得ることができるのである。
【産業上の利用可能性】
【００２４】
本発明の風力発電システムは、大きな構造物を伴わないものであるため、例えば、ある程度の面積が必要で、日当たりの良いことが求められる太陽光発電プラントでも風が吹くところであれば問題なく稼働させることができる。また、これに限られず、畑や推断の周囲に設置し、作物を耕作しながら稼働させることや、ビルの屋上を利用して稼働させることもできる。
【００２５】
そして、例えば太陽光発電プラントにおいて、その外側を取り囲むように設置すれば、太陽光発電のできない夜間等であっても発電することが可能となり、効率よく自然エネルギーの電力として売電することができ、極めて有利である。
【符号の説明】
【００２６】
１ … … 発電システム
２ … … 発電機用回転輪
３ … … 発電機
４ … … 回転支持手段
４１ … … 支柱
４２ … … 滑車
４３ … … 腕木
５ … … 風受けブレード
６ … … 牽引索
７ … … 固定軸
８ … … 連結部材
９ … … 歯車
９ａ … … 回転軸側歯車
９ｂ … … 発電機側歯車
１０ … … ストッパ
【図１】
2018145930.tif 000003
【図２】
2018145930.tif 000004
【図３】
2018145930.tif 000005
【図４】
2018145930.tif 000006
【図５】
2018145930.tif 000007
【手続補正書】
【提出日】平成29年9月26日(2017.9.26)
【手続補正１】
【補正対象書類名】特許請求の範囲
【補正対象項目名】全文
【補正方法】変更
【補正の内容】
【特許請求の範囲】
【請求項１】
複数の、風の風向に応じて開閉する風受けブレードを一定間隔で取り付けた２本の牽引索をループ状に形成し、これを発電機用回転輪と１または複数の回転支持手段とにかけ渡した風力発電システムであって、前記風受けブレードは、２枚のプレートと、上下を牽引索で固定される軸を有し、２枚のプレートはそれぞれその一辺で前記軸に回動可能に取り付けられ、他辺は自由端となっていることを特徴とする風力発電システム。
【請求項２】
風受けブレードは、２本の牽引索の上下でこの牽引索に固定される請求項１記載の風力発電システム。
【請求項３】
発電機用回転輪および回転支持手段の回転輪が２段で構成される請求項１または２記載の風力発電システム。
【請求項４】
風受けブレードの、２枚のプレートの面積が異なる請求項１ないし３のいずれかの項記載の風力発電システム。
【請求項５】
風受けブレードの、２枚のプレートの先端が外側に湾曲する請求項１ないし４のいずれかの項記載の風力発電システム。
【請求項６】
２枚のプレートが最大に開いた場合の角度が、９０〜１８０°に制約された請求項１ないし５のいずれかの項記載の風力発電システム。